(57)【要約】電波を分類するための装置が開示されていて、前記電波は符号分割多重接続受信機で受信される。この装置は、少なくとも一つの隣接セルによって用いられるスクランブル符号に関する情報を少なくとも含んでいる隣接セルリストを受信する手段と、与えられた隣接セルによって用いられるスクランブル符号を選択する手段と、受信信号を選択されたスクランブル符号と混合して、混合信号を供給する手段と、混合信号を検査して、電波が与えられた隣接セルから生じているかどうかを判定する手段とを備えている。
2004525574.tif 000002
【特許請求の範囲】
【請求項１】
符号分割多重接続受信機で受信される電波を分類する装置において、
少なくとも一つの隣接セルによって用いられるスクランブル符号に関する情報を少なくとも含んでいる隣接セルリストを受信する手段と、
与えられた隣接セルによって用いられるスクランブル符号を選択する手段と、
受信信号を選択されたスクランブル符号と混合して、混合信号を供給する手段と、
この混合信号を検査して、電波が、与えられた隣接セルから生じているかどうかを判定する手段とを備えていることを特徴とする装置。
【請求項２】
隣接セルリストの一部を形成しているタイミング情報に基づいて、受信信号に関する選択されたスクランブル符号のタイミングを設定する手段を備えていることを特徴とする請求項１に記載の装置。
【請求項３】
前記検査手段は、混合信号が、あらかじめ決められたデータシーケンスを含んでいるかどうかを判定する手段を有していることを特徴とする請求項１または２に記載の装置。
【請求項４】
未分類の電波が、与えられた隣接セルに分類される電波のタイミング特性のあらかじめ決められた範囲に入るタイミング特性を有しているかどうかを判定する手段と、
肯定の判定がなされた場合にのみ、未分類の電波に対応する受信信号を選択されたスクランブル符号と混合する手段とを更に備えていることを特徴とする請求項１から３のうちのいずれか一項に記載の装置。
【請求項５】
符号分割多重接続受信機で受信される電波を分類する方法において、
少なくとも一つの隣接セルによって用いられるスクランブル符号に関する情報を少なくとも含んでいる隣接セルリストを受信するステップと、
与えられた隣接セルによって用いられるスクランブル符号を選択するステップと、
受信信号を選択されたスクランブル符号と混合して、混合信号を供給するステップと、
この混合信号を検査して、電波が、与えられた隣接セルから生じているかどうかを判定するステップとを有していることを特徴とする方法。
【請求項６】
隣接セルリストの一部を形成しているタイミング情報に基づいて、受信信号に関するスクランブル符号のタイミングを設定するステップを更に有していることを特徴とする請求項５に記載の方法。
【請求項７】
前記検査ステップは、混合信号が、あらかじめ決められたデータシーケンスを含んでいるかどうかを判定するステップを有していることを特徴とする請求項５または６に記載の方法。
【請求項８】
未分類の電波が、与えられたセルに分類される電波のタイミング特性のあらかじめ決められた範囲に入るタイミング特性を有しているかどうかを判定するステップと、
肯定の判定がなされた場合にのみ、未分類の電波に対応する受信信号を選択されたスクランブル符号と混合するステップとを更に有していることを特徴とする請求項５から７のうちのいずれか一項に記載の方法。
【発明の詳細な説明】
【技術分野】
【０００１】
本発明は、符号分割多重接続受信機で受信された電波（ray）を分類する装置および方法に関する。
【背景技術】
【０００２】
提唱されているユニバーサル移動電話システム（universal mobile telephone system；ＵＭＴＳ）は、符号分割多重接続（code division multiple access；ＣＤＭＡ）を用いて、アップリンクおよびダウンリンク通信の両方において、ノードＢとユーザ機器（user equipment；ＵＥ）との間で通信を行う。ダウンリンク通信（ノードＢからＵＥへ）は、個々のノードＢに特有のスクランブル符号を有していて、その上で変調されている。しかし、ダウンリンク通信の各フレームの各スロット（各フレーム内には１５個のスロットがある）は、２５６チップの汎用語（universal word）で始まることが提唱されていて、これはスクランブル符号で変調されていない。この汎用語は、すべてのフレームのすべてのスロットにとって同じであり、その繰り返される送信は、以後、第一の同期化チャネル（primary synchronisation channel；ＰＳＣＨ）と称される。ＵＥは、ノードＢの識別（identity）または位置、そのスクランブル符号またはそのタイミングのいかなる情報もなしで、ＰＳＣＨを検出することによって、ノードＢまたはセルを検出することができる。しかし、ＰＳＣＨから収集することができる全ての情報は、スロットタイミングである。フレームタイミング、ノードＢの識別およびスクランブル符号情報は、ＰＳＣＨチャネルから入手することができない。
【０００３】
第二の同期化チャネル（ＳＳＣＨ）を送信することが提唱されていて、その上で、第二の同期化符号（secondary synchronisation code；ＳＳＣ）のシーケンスが送信される。ＳＳＣは、１つのフレーム内の１５個のスロットにおける最初の２５６チップの間、送信される。１６個の異なるＳＳＣが、アダマールシーケンスと与えられたシーケンスＺとの位置に関する乗算からつくられる。ＳＳＣは、第一の同期化符号（primary synchronisation code；ＰＳＣ）に直交していて、第一のスクランブル符号にほぼ直交している。６４個の異なるＳＳＣシーケンスが、ＵＭＴＳにおいて用いられることが提唱されている。
【０００４】
ＵＥは、セルから受信される信号に対応する電波のために、１５個の連続するスロットのための電波に対応する受信信号のＳＳＣシーケンスを検出して、これから、ルックアップテーブルを用いて、スクランブル符号グループおよびフレームタイミングを判定することができる。受信信号は、それから各々の８個のスクランブル符号に対する相関がとられる。８個のスクランブル符号は、スクランブル符号グループを形成している。そして、前記スクランブル符号は、結果としての信号のうちの１つから高度な相関を検出することによって識別される。
【０００５】
スクランブル符号およびフレームおよびスロットタイミングの判定は、電波分類（ray classification）として知られている。この電波分類の方法は、セルの情報を用いないので、以後、ブラインド（blind）電波分類と呼ぶが、遅い。なぜなら、データを、少なくとも１フレームにわたって蓄積しなければならないからである。また、ルックアップテーブルが大きいので、比較的多くのプロセッサ時間を必要とする。これは、電力消費の観点およびプロセッサ共有の柔軟性の最大化の観点から望ましくない。この方法は、分類する必要がある各々の電波のために繰り返されるが、これを概略的に図１に示す。図１を参照すれば、方法１００は、ステップ１０１においてフレームタイミングおよび符号グループ情報を得て、ステップ１０２においてスクランブル符号を得る。ステップ１０３および１０４は、ステップ１０１および１０２が、各々の未分類の電波のために繰り返されるようにする。
【非特許文献１】
Antti ToskalaおよびHarri Holmaによる"WCDMA for UMTS"（ISBN 0 471 720518）
【発明の開示】
【発明が解決しようとする課題】
【０００６】
各セルのために、放送チャネル（ＢＣＨ）上で隣接セルリストを放送することが提唱されている。隣接セルリストは、スクランブル符号および各セルの（１スロット内に対する）概算のスロットタイミングの識別を含んでいる。これは、ＢＣＨを送信しているセルを囲む領域にある。スクランブル符号グループは、この情報の中に内在している。ＢＣＨチャネルは、データ速度が低い一方で、大量のデータを伝送するので、隣接セルリストが頻繁に繰り返されることは期待できず、例えば５秒に一度程度である。
【０００７】
セル間の相対的なタイミングに関する情報を用いて、ブラインド電波分類法を補佐することが、Antti ToskalaおよびHarri Holmaによる"WCDMA for UMTS"（ISBN 0 471 720518）の１４４ページに提唱されている。
【課題を解決するための手段】
【０００８】
本発明の第１の態様によれば、符号分割多重接続受信機で受信される電波を分類する装置が提供される。この装置は、
少なくとも一つの隣接セルによって用いられるスクランブル符号に関する情報を少なくとも含んでいる隣接セルリストを受信する手段と、
与えられた隣接セルによって用いられるスクランブル符号を選択する手段と、
受信信号を選択されたスクランブル符号と混合して、混合信号を供給する手段と、
この混合信号を検査して、電波が与えられた隣接セルから生じているかどうかを判定する手段とを備えている。
【０００９】
本発明の第２の態様によれば、符号分割多重接続受信機で受信される電波を分類する装置が提供される。この装置は、
少なくとも一つの隣接セルによって用いられるスクランブル符号に関する情報と、少なくとも一つの隣接セルに関するタイミング情報とを少なくとも含んでいる隣接セルリストを受信する手段と、
この隣接セルリストから、それと共に一つ以上のスクランブル符号と関連付けられたセルを選択する手段と、
前記隣接セルリスト中のセルの数が閾値を上回っているかどうかを判定する手段と、
肯定の判定に応じて、受信信号をスクランブル符号と混合する手段を用いずに、選択されたセルに対する電波を分類することを試みる手段と、
否定の判定に応じて、受信信号を、選択されたセルによって用いられるスクランブル符号と混合して、混合信号を供給し、かつこの混合信号を検査して、電波がこのセルから生じているかどうかを判定する手段とを備えている。
【００１０】
本発明の第３の態様によれば、符号分割多重接続受信機で受信される電波を分類する方法が提供される。この方法は、
少なくとも一つの隣接セルによって用いられるスクランブル符号に関する情報を少なくとも含んでいる隣接セルリストを受信するステップと、
与えられた隣接セルによって用いられるスクランブル符号を選択するステップと、
受信信号を選択されたスクランブル符号と混合して、混合信号を供給するステップと、
この混合信号を検査して、電波が与えられた隣接セルから生じているかどうかを判定するステップとを有している。
【００１１】
本発明の第４の態様によれば、符号分割多重接続受信機で受信される電波を分類する方法が提供される。この方法は、
少なくとも一つの隣接セルによって用いられるスクランブル符号に関する情報と、少なくとも一つの隣接セルに関するタイミング情報とを少なくとも含んでいる隣接セルリストを受信するステップと、
この隣接セルリストから、それと共に一つ以上のスクランブル符号と関連付けられたセルを選択するステップと、
前記隣接セルリスト中のセルの数が閾値を上回っているかどうかを判定するステップと、
肯定の判定に応じて、受信信号をスクランブル符号と混合せずに、スクランブル符号グループ情報を用いて、選択されたセルに対する電波を分類することを試みるステップと、
否定の判定に応じて、受信信号を選択されたセルによって用いられるスクランブル符号と混合して、混合信号を供給し、かつこの混合信号を検査して、電波がこのセルから生じているかどうかを判定するステップとを有している。
【００１２】
本発明の第５の態様によれば、符号分割多重接続受信機で受信される電波を分類する方法が提供される。この方法は、
電波のタイミング特性が、与えられたセルに分類される電波のタイミング特性のあらかじめ決められた範囲に入るかどうかを判定するステップと、
肯定の判定に応じて、受信信号を与えられたセルによって用いられるスクランブル符号と混合して、混合信号を供給するステップと、
この混合信号を検査して、電波が与えられたセルから生じているかどうかを判定するステップとを有している。
【００１３】
本発明の第６の態様によれば、符号分割多重接続受信機で受信される電波を分類する装置が提供される。この装置は、
電波のタイミング特性が、与えられたセルに分類される電波のタイミング特性のあらかじめ決められた範囲に入るかどうかを判定する手段と、
肯定の判定に応じて、受信信号を与えられたセルによって用いられるスクランブル符号と混合して、混合信号を供給する手段と、
混合信号を検査して、電波が与えられたセルから生じているかどうかを判定する手段とを備えている。
【００１４】
本発明の第７の態様によれば、符号分割多重接続受信機で受信される電波を分類する装置が提供される。この装置は、
複数のセルの各々のために、少なくともタイミング情報と、ａ）セル同期化符号情報とｂ）セル同期化符号情報を導き出すことができる情報とのうちの１つと、を含んでいる隣接セルリストを受信する手段と、
少なくとも１つのセルのために、必要に応じて、隣接セルリストからセル同期化符号情報を導き出す手段と、
受信された電波から受信された同期化符号を復調する復調器と、
タイミング情報に基づいて、受信された同期化符号に対して与えられたセルのために、セル同期化符号情報から導き出されるセル同期化符号の可能な相対位相を判定する手段と、
この相対位相において、受信された同期化符号の少なくとも一部を、与えられたセルからのセル同期化符号の少なくとも一部と比較する比較器と、
この比較器の出力に基づいて、受信された電波が、与えられたセルから生じているかどうかを判定する手段とを備えている。
【００１５】
本発明の第８の態様によれば、符号分割多重接続受信機で受信される電波を分類する方法が提供される。この方法は、
複数のセルの各々のために、少なくともタイミング情報と、ａ）セル同期化符号情報とｂ）セル同期化符号情報を導き出すことができる情報とのうちの１つと、を含んでいる隣接セルリストを受信するステップと、
少なくとも１つのセルのために、必要に応じて、隣接セルリストからセル同期化符号情報を導き出すステップと、
受信された電波から受信された同期化符号を復調するステップと、
タイミング情報に基づいて、受信された同期化符号に対して与えられたセルのために、セル同期化符号情報から導き出されるセル同期化符号の可能な相対位相を判定するステップと、
この相対位相において、受信された同期化符号の少なくとも一部を、与えられたセルのためのセル同期化符号の少なくとも一部と比較するステップと、
この比較の結果に基づいて、受信された電波が、与えられたセルから生じているかどうかを判定するステップとを有している。
【発明を実施するための最良の形態】
【００１６】
以下、本発明の実施形態を、単なる例として、添付の図面を参照して説明する。
【００１７】
図２を参照すれば、第２の電波分類方法２００は、ステップ２０１で始まり、このステップは、従来の方法で、すなわち受信信号の復調によって、候補となる電波（candidate ray）のために受信されるＳＳＣＨアダマール符号シーケンスを得るステップを有している。ステップ２０２で、セルから受信される隣接セルリストが検査され、そのリストから選択されるセルのために、スクランブル符号グループおよびスロット時間を得る。ステップ２０３で、電波に対応するＳＳＣの得られたシーケンスが、中心のタイミングオフセット、および、中心のタイミングオフセットの１スロット両側のタイミングオフセットにおいて、選択されたセルのスクランブル符号の符号グループのためのＳＳＣに対して、別々に比較される。これが電波の分類をもたらさない場合には、ステップ２０４および２０５が、別のセルのために繰り返されるべき手順を引き起こす。これは、隣接セルリストの中で確認される各々のセルに対して実行される。
【００１８】
第２の方法２００は、図１を参照して上記したブラインド電波分類法より、かなり速い。一旦ＳＳＣシーケンスが決定されると、ブラインド分類検索は、１５の異なるフレームタイミングにおいて、シーケンスを６４の符号グループと照合することを必要とし、これは合計で９６０回の照合になる。第２の方法２００を用いれば、隣接セルリスト中の各セルに対して、明らかに、はるかに少ない照合ですむ。また、信号が照合されるセルの数が減少するので、第２の方法２００は、ブラインド法より、正しい分類をもたらす見込みが高い。
【００１９】
第２の方法２００の修正において、セル分類における更なる信頼が提供される。ここでは、ＳＳＣＨ検索ステップ２０３が肯定の結果を生む場合にのみ、ＣＰＩＣＨ照合がステップ２０４で実行され、選択されたセルのスクランブル符号が、受信信号を変調するのに用いられたものと同じであることが確認される。このＣＰＩＣＨ照合のステップは、簡単に入れることができるが、受信信号と、選択されたセルによって用いられるスクランブル符号との相関をとり、かつその結果を検査することを含んでいる。２つの信号の相対的なタイミングが、未分類の電波を分離するために、スロットの開始を識別するＰＳＣＨバーストの検出された開始点を用いてセットされ、それに合うようにスクランブル符号が調整される。ＣＰＩＣＨチャネルは既知のデータシーケンスを伝送する−それは容易に全て＋１ｓであることが予想される−ので、選択されたセルに対応するスクランブル符号が、受信信号上のスクランブル符号と同じであり、かつ同期しているかどうかを判定することは、簡単なことである。選択されたセルに分類される電波のフレームタイミングは既知なので、相関は、１５の可能なスロット位置のうちの１つにおいて実行されればよい。
【００２０】
本実施形態においては、ＳＳＣのシーケンスは、隣接セルリストの一部として送信されるスクランブル符号の識別から、ＳＳＣＨシーケンスをスクランブル符号グループに関係づけるルックアップテーブルを参照して判定されることが分かる。別の実施形態（図示せず）においては、隣接セルリストが、ＳＳＣのシーケンス、またはＳＳＣのシーケンスを決定することができる情報を含んでいる。このような情報は、例えば、スクランブル符号グループの識別または類似のものであってもよい。
【００２１】
以下、図３Ａおよび図３Ｂを参照すると、第３の方法３００は、ステップ３０１から始まり、最も高いパワーを有する未分類の電波を選択する。次に、ステップ３０２で、未分類の電波が、全ての分類された電波と照合されたかどうかが判定される。この方法を最初に実行する際には、ステップ３０２に対する解答は、必ず否定（ノー）なので、ステップ３０３で、電波が分類された１つのセルが選択される。少なくとも一つの電波が分類されていることが、第３の方法３００の前提条件であるが、電波が分類された、より多くの数のセルがあれば、この方法は、より優れた性能を発揮する。ステップ３０４で、選択されたセルに分類される電波が、順番に検査され、分類された電波のうちの１つが、選択された未分類の電波の８０チップ以内に入るタイミング特性を有するかどうかが判定される。本実施形態においては、ＰＳＣＨバーストの開始のタイミングが、未分類の電波と分類された電波との相対的なタイミングを判定するために用いられるが、他の基準（references）が、その代わりに用いられてもよい。８０チップは、２１μｓすなわち６．２５ｋｍに相当する。否定の判定がある場合には、この方法はステップ３０２に戻る。未分類の電波が、全ての分類された電波と照合されてはいなかったことが、ステップ３０２において判定されると、ステップ３０３で、ステップ３０４用に別のセルが選択される。ステップ３０４で、肯定の判定がもたらされると、ステップ３０５で、選択されたセルと関連があるスクランブル符号を用いて、ＣＰＩＣＨ照合が実行される。このＣＰＩＣＨ照合のステップは、簡単に入れることができるが、受信信号と、選択されたセルによって用いられるスクランブル符号との相関をとり、かつその結果を検査することを含んでいる。２つの信号の相対的なタイミングが、未分類の電波を分離するために、スロットの開始を識別するＰＳＣＨバーストの検出された開始点を用いてセットされ、それに合うようにスクランブル符号が調整される。ＣＰＩＣＨチャネルは既知のデータシーケンスを伝送する−それは容易に全て＋１ｓであることが予想される−ので、選択されたセルに対応するスクランブル符号が、受信信号上のスクランブル符号と同じであり、かつ同期しているかどうかを判定することは、簡単なことである。選択されたセルに分類される電波のフレームタイミングは既知なので、相関は、１５の可能なスロット位置のうちの１つにおいて実行されればよい。ステップ３０６では、ＣＰＩＣＨ照合が、肯定の結果を生み出したかどうかを検出して、これに応じて、ステップ３０２に戻るか、またはステップ３０７に進む。電波は、スクランブル符号およびフレームタイミングに従って、ステップ３０７で分類され、それから、ステップ３０８で、これ以上未分類の電波があるかどうかが判定される。未分類の電波がある場合には、第３の方法３００は、ステップ３０１に戻る。さもなければ、この方法は終了する。
【００２２】
ステップ３０２で、未分類の電波が、全ての分類された電波と照合されたと判定された場合には、ステップ３０９および３１０が、電波を分類するために呼び出される。ステップ３０９および３１０は、図１を参照して上記したような、ブラインド電波分類を構成していて、その後、電波は、ステップ３０７において分類される。
【００２３】
第３の方法は、上記したブラインド電波分類法より短い時間で、電波分類をもたらす。なぜなら、第３の方法においては、３６，０９６チップに等しい１５個の連続するスロットのために、ＳＳＣＨを復号する必要はないからである。 他方で、ＣＰＩＣＨ照合の実行は、スロットの最初の５１２チップを必要とするのみである。第３の方法は、また、より少ないプロセッサ時間しか必要としない。なぜなら、ＳＳＣＨ検索および次の符号グループの識別は、単一のＣＰＩＣＨ照合より、非常に複雑だからである。さらに、ＣＰＩＣＨチャネルは、ＰＳＣＨおよびＳＳＣＨチャネルより高いパワーレベルで送信されるので、第３の方法は、ブラインド電波分類法または上記した第２の方法より、そのセルに電波を分類する見込みがある。
【００２４】
第３の方法３００の多数の変形が可能である。例えば、候補となる電波に対応する信号を、ＣＰＩＣＨチャネル以外のチャネルと照合することもできる。例えば、放送チャネル（broadcast channel；ＢＣＨ）は、これに適している。なぜなら、データは、このチャネル上へ低速（low rate）で変調され、かつこのチャネルは、既知のＯＶＳＦ符号（ＯＶＳＦ符号ナンバー１）で変調されるからである。ＣＰＩＣＨ照合は、むしろ好まれる。なぜなら、ＣＰＩＣＨチャネルは、ＢＣＨチャネルより高いパワーレベルで送信されると予想されるからである。２つのチャネル、例えばＢＣＨチャネルおよびＣＰＩＣＨチャネルからの結果を用いて、同時にまたは順次的に照合され、電波が照合されているセルから生じているのであれば、電波分類の可能性を増加させる。第３の方法は、ハードウェア、ソフトウェア、またはハードウェアとソフトウェアの組合せで実現することができる。
【００２５】
以下、図４Ａおよび図４Ｂを参照すれば、第４の方法４００は、パワーの大きいものから順に並べられた、たくさんの未分類の電波、および、たくさんの分類された電波と共に開始される。隣接セルリストは、ＵＥが聞いているセルから受信されるＢＣＨチャネルから復号される。実際に、この事例がありそうであるにもかかわらず、ＵＥは、ノードＢと通信する必要はない。
【００２６】
最も高いパワーを有する候補となる電波が選択され、それから、ステップ４０１において、セルが、隣接セルリストから選択される。それから、ステップ４０２において、分類された電波のうちの１つが、選択されたセルから生じているか否かが判定される。答えが肯定の場合には、ステップ４０３で、選択されたセルに分類された最も強い電波の、候補となる電波に対する相対的なタイミングが検査され、かつ２つの電波が、スクランブル符号の２１μｓすなわち６．２５ｋｍに等しい８０チップを超えて隔てられているかどうかを判定する。本実施形態においては、ＰＳＣＨバーストの開始のタイミングが、未分類の電波の、分類された電波に対する相対的なタイミングを判定するために用いられるが、他の基準が、その代わりに用いられてもよい。ステップ４０３に対する答えが肯定の場合には、候補となる電波が、選択されたセルからではないとみなされ、方法４００はステップ４０４へ進む。
【００２７】
ステップ４０２において、選択されたセルからの電波が、分類されていないと判定された場合には、ステップ４０５において、候補となる電波について、スクランブル符号の予想されるタイミングより１スロット早いスクランブル符号とのＣＰＩＣＨ照合が実行される。このＣＰＩＣＨ照合のステップは、簡単に入れることができるが、受信信号と、選択されたセルによって用いられるスクランブル符号との相関をとり、かつその結果を検査することを含んでいる。２つの信号の相対的なタイミングが、未分類の電波を分離するために、スロットの開始としてのＰＳＣＨバーストの検出された開始点を用いてセットされ、それに合うようにスクランブル符号が調整される。ＣＰＩＣＨチャネルは既知のデータシーケンスを伝送する−それは容易に全て＋１ｓであることが予想される−ので、選択されたセルに対応するスクランブル符号が、受信信号上のスクランブル符号と同じであり、かつ同期しているかどうかを判定することは、簡単なことである。ステップ４０５の結果が肯定、すなわちスクランブル符号およびそのタイミングが正しい場合には、ステップ４０６において、候補となる電波が、その符号およびそのフレームタイミングに従って分類され、それから方法４００は終了する。ステップ４０５の結果が否定の場合には、ステップ４０７において、予想に等しい相対的なタイミングで、ＣＰＩＣＨ照合が実行される。ステップ４０８において、スクランブル符号およびそのタイミングが正しいと判定された場合には、候補となる電波が分類され、方法４００は終了する。さもなければ、ステップ４０９において、スクランブル符号の予想されるタイミングと比較して１スロット遅れたスクランブル符号との第３のＣＰＩＣＨ照合が実行される。結果が肯定の場合には、それに応じて、ステップ４１０において、電波が分類され、この方法は終了する。さもなければ、ステップ４０４において、隣接セルリスト内に、これ以上、候補となる電波のために試されなかったセルがあるかどうかが判定される。さらにセルがある場合には、この方法はステップ４０１で再開され、ここで新しいセルが隣接セルリストから選択される。これ以上セルがない場合には、この方法は終了し、候補となる電波は、それが分類されるべきである場合には、もう一つの方法による分類を必要とする。
【００２８】
第４の方法は、上記したブラインド電波分類法より短い時間で、電波分類をもたらす。なぜなら、第４の方法においては、３６，０９６チップに等しい１５個の連続するスロットのために、ＳＳＣＨを復号する必要はないからである。他方で、ＣＰＩＣＨ照合の実行は、スロットの最初の５１２チップを必要とするのみである。第４の方法は、また、より少ないプロセッサ時間しか必要としない。なぜなら、ＳＳＣＨ検索および次の符号グループの識別は、ＣＰＩＣＨ照合より、非常に複雑だからである。さらに、ＣＰＩＣＨチャネルは、ＰＳＣＨおよびＳＳＣＨチャネルより高いパワーレベルで送信されるので、第４の方法は、ブラインド電波分類法または上記した第２の方法より、そのセルに電波を分類する見込みがある。
【００２９】
第４の方法４００の多数の変形が可能である。例えば、候補となる電波に対応する信号を、ＣＰＩＣＨチャネル以外のチャネルと照合することもできる。例えば、ＢＣＨチャネルは、これに適している。なぜなら、データは、このチャネル上へ低速（low rate）で変調され、かつこのチャネルは、既知のＯＶＳＦ符号（ＯＶＳＦ符号ナンバー１）で変調されるからである。ＣＰＩＣＨ照合は、むしろ好まれる。なぜなら、ＣＰＩＣＨチャネルは、ＢＣＨチャネルより高いパワーレベルで送信されると予想されるからである。２つのチャネル、例えばＢＣＨチャネルおよびＣＰＩＣＨチャネルからの結果を用いて、同時にまたは順次的に照合され、電波が照合されているセルから生じているのであれば、電波分類の可能性を増加させる。隣接セルリストからセルによって用いられるスクランブル符号を識別することが不可能な場合には、方法４００を、別のスクランブル符号を用いて繰り返すことを要求してもよい。隣接セルリストがタイミング情報を含んでいない場合には、方法４００を修正して、ＣＰＩＣＨ照合を１５箇所の可能な相対的なタイミングの各々で可能にする必要があるかもしれない。第４の方法は、ハードウェア、ソフトウェア、またはハードウェアとソフトウェアの組合せで実現することができる。
【００３０】
図５Ａおよび図５Ｂは、本発明のさらに別の態様による電波分類方法を図示しているフローチャートである。図５Ａおよび図５Ｂを参照すれば、方法５００が開始されると、ステップ５０１で、最も強い未分類の電波を選択する。以降の実行において、ステップ５０１では、次の最も強い未分類の電波を選択する。ステップ５０２では、これまで、いくつかの電波が分類されたかどうかが判定される。答えがイエスである場合には、方法５００はステップ５０３へ進む。答えがノーである場合、これは例えば移動電話の電源投入時に起こり得ることだが、ステップ５０４で、ブラインド電波分類照合を、電波に対して行う。ブラインド電波分類は、図１を参照して上記されている。電波をこの方法で分類することが不可能な場合には、ステップ５０６で、これ以上未分類の電波があるかどうかが判定され、これに応じて、ステップ５０１に戻るか、または方法５００を終了する。電波が分類された場合には、この方法がステップ５０６へ進む前に、ステップ５０７で分類データが格納される。
【００３１】
ステップ５０３で、図３Ａおよび図３Ｂを参照して上記した第３の方法３００のステップ３０２、３０３、３０４、３０５および３０６を用いて、電波を分類するための試みがなされる。ステップ５０８において、電波が、これによって分類されたと判定された場合には、方法５００はステップ５０７へ進み、ここで分類データが格納される。さもなければ、方法５００はステップ５０９へ進む。
【００３２】
ステップ５０９で、方法５００は、ＢＣＨチャネル上のセルから受信される隣接セルリスト内で見かけるセルの数を検出する。隣接セルの数は、閾値Ｎと比較され、閾値を上回っていた場合には、方法５００はステップ５１０へ進み、さもなければ、ステップ５１１へ進む。ステップ５１０は、図２を参照して上記した第２の方法２００から成る。ステップ５１１は、図４Ａおよび図４Ｂを参照して上記した第４の方法４００から成る。
【００３３】
電波が、ステップ５１０と５１１のうちのどちらかが実行されることによって分類されたら、ステップ５１２は、方法５００をステップ５０７に移し、ここで分類データが格納される。さもなければ、この方法はステップ５０４に移り、ここで電波のブラインド分類が試みられる。
【００３４】
閾値Ｎの値は、この方法を実行する装置に、物理的に組み込まれている。本発明は、ハードウェア、ソフトウェア、またはハードウェアとソフトウェアの組合せで実現することができる。閾値の値は、電波分類に必要な速度、プロセッサ速度およびプロセッサ稼働率を含む、たくさんの要因に応じて選択される。第４の方法４００は、隣接セルリスト中にかなり多数のセルがない限り、電波を照合するために、第２の方法２００より少ない時間しか必要としないことが分かる。なぜなら、必要なデータを得るために、より少ない時間しか必要としないからである。また、隣接セルリスト中のセルの数が増加するにつれて、第４の方法４００を実行するために必要な処理の量は、著しく増加する。しかし、これは第２の方法にはあてはまらない。別の実施形態においては、閾値の値は、コントローラによって動的に調整可能である（図示せず）。
【図面の簡単な説明】
【００３５】
【図１】第１の、従来技術における、電波分類方法を図示しているフローチャートである。
【図２】本発明の態様による第２の電波分類方法を図示しているフローチャートである。
【図３Ａ】本発明の態様による第３の電波分類方法を図示しているフローチャートである。
【図３Ｂ】本発明の態様による第３の電波分類方法を図示しているフローチャートである。
【図４Ａ】本発明の態様による第４の電波分類方法を図示しているフローチャートである。
【図４Ｂ】本発明の態様による第４の電波分類方法を図示しているフローチャートである。
【図５Ａ】本発明の他の態様による電波分類方法を図示しているフローチャートである。
【図５Ｂ】本発明の別の態様による電波分類方法を図示しているフローチャートである。
【符号の説明】
【００３６】
１００  第１の従来技術における電波分類方法
２００  第２の電波分類方法
３００  第３の電波分類方法
４００  第４の電波分類方法
５００  別の電波分類方法
【図１】
2004525574.tif 000003
【図２】
2004525574.tif 000004
【図３Ａ】
2004525574.tif 000005
【図３Ｂ】
2004525574.tif 000006
【図４Ａ】
2004525574.tif 000007
【図４Ｂ】
2004525574.tif 000008
【図５Ａ】
2004525574.tif 000009
【図５Ｂ】
2004525574.tif 000010
【国際公開パンフレット】
2004525574.tif 000011
2004525574.tif 000012
2004525574.tif 000013
2004525574.tif 000014
2004525574.tif 000015
2004525574.tif 000016
2004525574.tif 000017
2004525574.tif 000018
2004525574.tif 000019
2004525574.tif 000020
2004525574.tif 000021
2004525574.tif 000022
2004525574.tif 000023
2004525574.tif 000024
2004525574.tif 000025
2004525574.tif 000026
2004525574.tif 000027
2004525574.tif 000028
2004525574.tif 000029
2004525574.tif 000030
2004525574.tif 000031
2004525574.tif 000032
2004525574.tif 000033
2004525574.tif 000034
2004525574.tif 000035
【手続補正書】
【提出日】平成15年6月30日(2003.6.30)
【手続補正１】
【補正対象書類名】特許請求の範囲
【補正対象項目名】全文
【補正方法】変更
【補正の内容】
【特許請求の範囲】
【請求項１】
符号分割多重接続受信機で受信される電波を分類する装置において、
少なくとも一つの隣接セルによって用いられるスクランブル符号に関する情報を少なくとも含んでいる隣接セルリストを受信する手段と、
受信された未分類の電波が、選択された隣接セルに分類された電波のタイミング特性のあらかじめ決められた範囲に入るタイミング特性を有しているかどうかを判定する手段と、
受信された未分類の電波に対応する信号を、隣接セルリストから受信されていて、前記選択された隣接セルによって用いられるスクランブル符号と混合して、これにより混合信号を供給する手段と、
混合信号を検査して、電波が前記選択された隣接セルから生じているかどうかを判定する手段とを備えていて、
前記混合および検査手段は、未分類の電波のタイミング特性が、あらかじめ決められた範囲に入ると判定された場合にのみ動作するように構成されていることを特徴とする装置。
【請求項２】
未分類の電波のタイミング特性が、あらかじめ決められた範囲から外れたと判定された場合には、隣接セルリストから別のセルを選択するように構成された手段を更に備えていることを特徴とする請求項１に記載の装置。
【請求項３】
隣接セルリストの一部を形成しているタイミング情報に基づいて、受信信号に関する選択されたスクランブル符号のタイミングを設定する手段を備えていることを特徴とする請求項１または２に記載の装置。
【請求項４】
符号分割多重接続受信機で受信される電波を分類する方法において、
少なくとも一つの隣接セルによって用いられるスクランブル符号に関する情報を少なくとも含んでいる隣接セルリストを受信するステップと、
この隣接セルリストから隣接セルを選択するステップと、
未分類の電波が、選択されたセルに分類される電波のタイミング特性のあらかじめ決められた範囲に入るタイミング特性を有しているかどうかを判定するステップと、
未分類の電波のタイミング特性が、前記あらかじめ決められた範囲に入る場合に、未分類の電波に対応する受信信号を選択されたセルによって用いられるスクランブル符号と混合して、かつ混合信号を検査し、電波が、与えられた隣接セルから生じているかどうかを判定するステップとを有していることを特徴とする方法。
【請求項５】
隣接セルリストの一部を形成しているタイミング情報に基づいて、受信信号に関するスクランブル符号のタイミングを設定するステップを更に有していることを特徴とする請求項４に記載の方法。
【請求項６】
符号分割多重接続受信機で受信される電波を分類する方法において、
(a) 少なくとも一つの隣接セルによって用いられるスクランブル符号に関する情報を少なくとも含んでいる隣接セルリストを受信するステップと、
(b) 隣接セルリストからセルを選択するステップと、
(c) 未分類の電波が、選択された隣接セルに分類された電波のタイミング基準のあらかじめ決められた範囲に入るタイミング基準を有しているかどうかを判定するステップと、
(d) 前記タイミング基準が、前記のあらかじめ決められた範囲内である場合に、未分類の電波に対応する受信信号と、選択された隣接セルによって用いられるスクランブル符号との相関をとり、これにより、受信信号が、選択された隣接セルから生じているかどうかを判定するステップとを有していることを特徴とする方法。
【請求項７】
前記タイミング基準が、前記のあらかじめ決められた範囲外である場合に、隣接セルリストから別のセルを選択して、ステップ(c)および(d)を繰り返すことを特徴とする請求項６に記載の方法。
【請求項８】
ステップ(c)において、未分類の電波の同期化信号が、分類された電波の同期化信号のあらかじめ決められた範囲に入るかどうかを判定し、前記同期化信号は、分類された電波および未分類の電波の各チップのために繰り返すことを特徴とする請求項６または７に記載の方法。
【請求項９】
ステップ(d)において、相関が、受信信号が選択された隣接セルから生じていないことを示した場合に、隣接セルリストの一部を形成しているタイミング情報に基づいて、受信信号に関するスクランブル符号のタイミングを設定し、相対的なタイミングを修正して、ステップ(d)をあらかじめ決められた回数繰り返すことを特徴とする請求項６から８のうちのいずれか一項に記載の方法。
【手続補正２】
【補正対象書類名】明細書
【補正対象項目名】０００８
【補正方法】変更
【補正の内容】
【０００８】
本発明の第１の態様によれば、符号分割多重接続受信機で受信される電波を分類する装置が提供される。この装置は、
少なくとも一つの隣接セルによって用いられるスクランブル符号に関する情報を少なくとも含んでいる隣接セルリストを受信する手段と、
受信された未分類の電波が、選択された隣接セルに分類された電波のタイミング特性のあらかじめ決められた範囲に入るタイミング特性を有しているかどうかを判定する手段と、
受信された未分類の電波に対応する信号を、隣接セルリストから受信されていて、前記選択された隣接セルによって用いられるスクランブル符号と混合して、これにより混合信号を供給する手段と、
混合信号を検査して、電波が前記選択された隣接セルから生じているかどうかを判定する手段とを備えていて、
前記混合および検査手段は、未分類の電波のタイミング特性が、あらかじめ決められた範囲に入ると判定された場合にのみ動作するように構成されている。
本発明の第２の態様によれば、符号分割多重接続受信機で受信される電波を分類する方法が提供される。この方法は、
少なくとも一つの隣接セルによって用いられるスクランブル符号に関する情報を少なくとも含んでいる隣接セルリストを受信するステップと、
この隣接セルリストから隣接セルを選択するステップと、
未分類の電波が、選択されたセルに分類される電波のタイミング特性のあらかじめ決められた範囲に入るタイミング特性を有しているかどうかを判定するステップと、
未分類の電波のタイミング特性が、前記あらかじめ決められた範囲に入る場合に、未分類の電波に対応する受信信号を選択されたセルによって用いられるスクランブル符号と混合して、かつ混合信号を検査し、電波が、与えられた隣接セルから生じているかどうかを判定するステップとを有している。
本発明の第３の態様によれば、符号分割多重接続受信機で受信される電波を分類する方法が提供される。この方法は、
(a) 少なくとも一つの隣接セルによって用いられるスクランブル符号に関する情報を少なくとも含んでいる隣接セルリストを受信するステップと、
(b) 隣接セルリストからセルを選択するステップと、
(c) 未分類の電波が、選択された隣接セルに分類された電波のタイミング基準のあらかじめ決められた範囲に入るタイミング基準を有しているかどうかを判定するステップと、
(d) 前記タイミング基準が、前記のあらかじめ決められた範囲内である場合に、未分類の電波に対応する受信信号と、選択された隣接セルによって用いられるスクランブル符号との相関をとり、これにより、受信信号が、選択された隣接セルから生じているかどうかを判定するステップとを有している。
以下の記述は、本発明を規定しているわけではないが、それでもやはり本発明を理解するのに役立つ。
【手続補正３】
【補正対象書類名】明細書
【補正対象項目名】０００９
【補正方法】変更
【補正の内容】
【０００９】
以下の符号分割多重接続受信機で受信される電波を分類する装置が提供されてもよい。この装置は、
少なくとも一つの隣接セルによって用いられるスクランブル符号に関する情報と、少なくとも一つの隣接セルに関するタイミング情報とを少なくとも含んでいる隣接セルリストを受信する手段と、
この隣接セルリストから、それと共に一つ以上のスクランブル符号と関連付けられたセルを選択する手段と、
前記隣接セルリスト中のセルの数が閾値を上回っているかどうかを判定する手段と、
肯定の判定に応じて、受信信号をスクランブル符号と混合する手段を用いずに、選択されたセルに対する電波を分類することを試みる手段と、
否定の判定に応じて、受信信号を、選択されたセルによって用いられるスクランブル符号と混合して、混合信号を供給し、かつこの混合信号を検査して、電波がこのセルから生じているかどうかを判定する手段とを備えている。


【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、以下の符号分割多重接続受信機で受信される電波を分類する方法が記述される。この方法は、
少なくとも一つの隣接セルによって用いられるスクランブル符号に関する情報と、少なくとも一つの隣接セルに関するタイミング情報とを少なくとも含んでいる隣接セルリストを受信するステップと、
この隣接セルリストから、それと共に一つ以上のスクランブル符号と関連付けられたセルを選択するステップと、
前記隣接セルリスト中のセルの数が閾値を上回っているかどうかを判定するステップと、
肯定の判定に応じて、受信信号をスクランブル符号と混合せずに、スクランブル符号グループ情報を用いて、選択されたセルに対する電波を分類することを試みるステップと、
否定の判定に応じて、受信信号を選択されたセルによって用いられるスクランブル符号と混合して、混合信号を供給し、かつこの混合信号を検査して、電波がこのセルから生じているかどうかを判定するステップとを有している。


【手続補正６】
【補正対象書類名】明細書
【補正対象項目名】００１２
【補正方法】変更
【補正の内容】
【００１２】
また、以下の符号分割多重接続受信機で受信される電波を分類する方法が記述される。この方法は、
電波のタイミング特性が、与えられたセルに分類される電波のタイミング特性のあらかじめ決められた範囲に入るかどうかを判定するステップと、
肯定の判定に応じて、受信信号を与えられたセルによって用いられるスクランブル符号と混合して、混合信号を供給するステップと、
この混合信号を検査して、電波が与えられたセルから生じているかどうかを判定するステップとを有している。


【手続補正７】
【補正対象書類名】明細書
【補正対象項目名】００１３
【補正方法】変更
【補正の内容】
【００１３】
また、以下の符号分割多重接続受信機で受信される電波を分類する装置が記述される。この装置は、
電波のタイミング特性が、与えられたセルに分類される電波のタイミング特性のあらかじめ決められた範囲に入るかどうかを判定する手段と、
肯定の判定に応じて、受信信号を与えられたセルによって用いられるスクランブル符号と混合して、混合信号を供給する手段と、
混合信号を検査して、電波が与えられたセルから生じているかどうかを判定する手段とを備えている。


【手続補正８】
【補正対象書類名】明細書
【補正対象項目名】００１４
【補正方法】変更
【補正の内容】
【００１４】
また、以下の符号分割多重接続受信機で受信される電波を分類する装置が記述される。この装置は、
複数のセルの各々のために、少なくともタイミング情報と、ａ）セル同期化符号情報とｂ）セル同期化符号情報を導き出すことができる情報とのうちの１つと、を含んでいる隣接セルリストを受信する手段と、
少なくとも１つのセルのために、必要に応じて、隣接セルリストからセル同期化符号情報を導き出す手段と、
受信された電波から受信された同期化符号を復調する復調器と、
タイミング情報に基づいて、受信された同期化符号に対して与えられたセルのために、セル同期化符号情報から導き出されるセル同期化符号の可能な相対位相を判定する手段と、
この相対位相において、受信された同期化符号の少なくとも一部を、与えられたセルからのセル同期化符号の少なくとも一部と比較する比較器と、
この比較器の出力に基づいて、受信された電波が、与えられたセルから生じているかどうかを判定する手段とを備えている。


【手続補正９】
【補正対象書類名】明細書
【補正対象項目名】００１５
【補正方法】変更
【補正の内容】
【００１５】
また、以下の符号分割多重接続受信機で受信される電波を分類する方法が記述される。この方法は、
複数のセルの各々のために、少なくともタイミング情報と、ａ）セル同期化符号情報とｂ）セル同期化符号情報を導き出すことができる情報とのうちの１つと、を含んでいる隣接セルリストを受信するステップと、
少なくとも１つのセルのために、必要に応じて、隣接セルリストからセル同期化符号情報を導き出すステップと、
受信された電波から受信された同期化符号を復調するステップと、
タイミング情報に基づいて、受信された同期化符号に対して与えられたセルのために、セル同期化符号情報から導き出されるセル同期化符号の可能な相対位相を判定するステップと、
この相対位相において、受信された同期化符号の少なくとも一部を、与えられたセルのためのセル同期化符号の少なくとも一部と比較するステップと、
この比較の結果に基づいて、受信された電波が、与えられたセルから生じているかどうかを判定するステップとを有している。


【手続補正１０】
【補正対象書類名】明細書
【補正対象項目名】００２５
【補正方法】変更
【補正の内容】
【００２５】
以下、図４Ａおよび図４Ｂを参照すれば、以下、第４の方法４００と呼ぶ、本発明による方法は、パワーの大きいものから順に並べられた、たくさんの未分類の電波、および、たくさんの分類された電波と共に開始される。隣接セルリストは、ＵＥが聞いているセルから受信されるＢＣＨチャネルから復号される。実際に、この事例がありそうであるにもかかわらず、ＵＥは、ノードＢと通信する必要はない。


【手続補正１１】
【補正対象書類名】明細書
【補正対象項目名】００３０
【補正方法】変更
【補正の内容】
【００３０】
図５Ａおよび図５Ｂは、さらなる電波分類方法を図示しているフローチャートである。図５Ａおよび図５Ｂを参照すれば、方法５００が開始されると、ステップ５０１で、最も強い未分類の電波を選択する。以降の実行において、ステップ５０１では、次の最も強い未分類の電波を選択する。ステップ５０２では、これまで、いくつかの電波が分類されたかどうかが判定される。答えがイエスである場合には、方法５００はステップ５０３へ進む。答えがノーである場合、これは例えば移動電話の電源投入時に起こり得ることだが、ステップ５０４で、ブラインド電波分類照合を、電波に対して行う。ブラインド電波分類は、図１を参照して上記されている。電波をこの方法で分類することが不可能な場合には、ステップ５０６で、これ以上未分類の電波があるかどうかが判定され、これに応じて、ステップ５０１に戻るか、または方法５００を終了する。電波が分類された場合には、この方法がステップ５０６へ進む前に、ステップ５０７で分類データが格納される。


【手続補正１２】
【補正対象書類名】明細書
【補正対象項目名】００３５
【補正方法】変更
【補正の内容】
【００３５】
【図１】第１の、従来技術における、電波分類方法を図示しているフローチャートである。
【図２】本発明の態様による第２の電波分類方法を図示しているフローチャートである。
【図３Ａ】本発明の態様による第３の電波分類方法を図示しているフローチャートである。
【図３Ｂ】本発明の態様による第３の電波分類方法を図示しているフローチャートである。
【図４Ａ】本発明による電波分類方法を図示しているフローチャートである。
【図４Ｂ】本発明による電波分類方法を図示しているフローチャートである。
【図５Ａ】本発明の他の態様による電波分類方法を図示しているフローチャートである。
【図５Ｂ】本発明を理解するのに役立つ電波分類方法を図示しているフローチャートである。




【国際調査報告】
2004525574.tif 000036
2004525574.tif 000037